(57)【特許請求の範囲】
【請求項１】
ヒートポンプユニットを備える給湯機と、空気を取り込み、燃料を燃焼させて動力を発生するエンジンと該エンジンが発生させた動力により発電を行う発電機と該エンジンを冷却するために空気を取り込み、加熱された空気を排出する冷却手段とを備える発電ユニットとを含む給湯発電システムであって、
室外に、外気の温度を測定する温度測定手段を備え、
同じ室内に、外気を取り込むための給気口に近隣して設置される前記ヒートポンプユニットと、前記給気口から室内に取り込まれた外気と前記ヒートポンプユニットから排出された空気とが混合された空気を取り込むように、前記給気口から該ヒートポンプユニットを介して離れた位置に設置される前記発電ユニットと、該発電ユニットから室外へ排出される加熱された空気を前記ヒートポンプユニットへ向けて放出させ、該空気の放出を停止させるために開閉される開閉手段と、前記温度測定手段により測定された外気の温度に応じて前記開閉手段を開閉させる制御手段とを備える、給湯発電システム。
【請求項２】
前記制御手段は、前記温度測定手段により測定された外気の温度が設定温度以上であるか否かを判定し、前記設定温度以上と判定した場合、前記開閉手段を閉止させ、前記設定温度未満と判定した場合、前記開閉手段を開放させる、請求項１に記載の給湯発電システム。
【請求項３】
前記設定温度は、１０℃である、請求項２に記載の給湯発電システム。
【請求項４】
ヒートポンプユニットを備える給湯機と、空気を取り込み、燃料を燃焼させて動力を発生するエンジンと該エンジンが発生させた動力により発電を行う発電機と該エンジンを冷却するために空気を取り込み、加熱された空気を排出する冷却手段とを備える発電ユニットとを含む給湯発電システムの運転制御方法であって、同じ室内に、外気を取り込むための給気口に近隣して前記ヒートポンプユニットと、前記給気口から該ヒートポンプユニットを介して離れた位置に前記発電ユニットとが設置され、
室外に設置された温度測定手段により外気の温度を測定する段階と、
前記温度測定手段により測定された外気の温度が設定温度以上であるか否かを判定する段階と、
前記設定温度未満と判定された場合、前記発電ユニットから室外へ排出される加熱された空気を前記ヒートポンプユニットへ向けて放出させ、該空気の放出を停止させるために開閉される開閉手段を開放させる段階と、
前記設定温度以上と判定された場合、前記開閉手段を閉止させて前記加熱された空気を室外に排出させつつ、前記給気口から室内に取り込まれた外気と前記ヒートポンプユニットから排出された空気とが混合された空気を前記発電ユニットへ供給する段階とを含む、運転制御方法。
【発明の詳細な説明】
【技術分野】
【０００１】
本発明は、同一室内に設置されたヒートポンプユニットおよび発電ユニットの廃熱を互いに利用して効率上昇を図る給湯発電システムおよびその給湯発電システムの運転制御方法に関する。
【背景技術】
【０００２】
病院、保養所、ホテル、旅館、レジャー施設、家庭では、給湯システムとして、ボイラや給湯機が使用されているが、近年の大気汚染や地球温暖化の問題から、ヒートポンプを利用した給湯機が多く採用されるようになってきている。
【０００３】
ヒートポンプは、外気と熱媒体との間で熱交換する熱交換器と、熱交換されて温度が上昇した熱媒体を圧縮する圧縮機と、圧縮された熱媒体と加熱対象物との間で熱交換する熱交換器と、温度は下がるものの圧縮された状態の熱媒体を膨張させる膨張弁とを備える構成とされている。
【０００４】
このヒートポンプは、熱媒体を移動させるのに必要とされるエネルギーのみを与えればよいため、消費電力の約３倍の熱を有効利用できる点で効率的である。また、ボイラ等のように液体燃料を使用するものではないため、その市場価格に大きく影響を受けないという利点を有する。
【０００５】
ところで、上記の病院等では、急な停電においても給電できるように発電ユニットを設置しているところが多い。また、電力事情の悪い山間部では、個々の家庭が発電ユニットを設置している。
【０００６】
上記のヒートポンプを利用した給湯機は、圧縮機を備えるため、その圧縮機を駆動するための電力を供給しなければならない。上記の山間部では、給湯機と発電ユニットの両方を設置しており、発電ユニットで得られた電力は、給湯機へも供給されている。
【０００７】
発電ユニットとしては、軽油等の燃料を燃焼させて発電するタイプの発電ユニットが一般的であり、それは、燃料タンクと、燃料を燃焼させて動力を取り出すエンジンと、取り出した動力から電磁誘導の法則を利用して電気エネルギーを得る発電機と、得られた電気を蓄電する蓄電池と、燃焼排ガスを排出するための排気管と、高温となるエンジンを冷却するためのラジエータ（放熱器）とを含んで構成されている。放熱器は、空気を吸引するファンや多数のフィンを備えており、空気を取り込み、それをフィンに接触させ、そのフィンに連続する高温のエンジンを冷却する。空気は、フィンに接触することにより加熱され、外部へ放出される。
【０００８】
近年のエネルギーの有効利用という観点から、燃焼排ガスは、１００℃を超える高温のガスであるため、水と熱交換して湯水を得るなど、有効に熱回収されている（例えば、特許文献１参照）。しかしながら、放熱器から放出される空気は、５０〜６０℃程度の温度であり、有効に熱回収されることなく、大気中へ放出されている。
【０００９】
そこで例えば、電動車両の充電システムとして、外部電源による発電時に、発熱したバッテリを車室内あるいは外気から取り込まれた冷却風により冷却し、バッテリからの廃熱により暖められた温風をヒートポンプ機構中の蒸発工程のための熱交換器へ供給するシステムが提案されている（特許文献２参照）。このシステムは、外部充電時に発生する廃熱をヒートポンプ機構での給湯に利用することで、廃熱の利用効率を高めている。
【先行技術文献】
【特許文献】
【００１０】
【特許文献１】特開２００９−３７９０１号公報
【特許文献２】特開２００９−１４３５０９号公報
【発明の概要】
【発明が解決しようとする課題】
【００１１】
上記の従来システムでは、廃熱を有効利用でき、その結果、消費電力を抑制することができるが、バッテリからの廃熱をヒートポンプ機構において有効に利用するだけである。
【００１２】
ヒートポンプを利用した給湯機と発電ユニットとを含むシステムにおいて、その両方の廃熱を互いに利用することができれば、両者の効率向上を図ることができ、有用である。
【課題を解決するための手段】
【００１３】
本発明の発明者は、鋭意検討の結果、給湯機のヒートポンプユニットと放熱器を備える発電ユニットとを同一室内に設置し、外気温を測定し、その温度が設定温度以上であるかを判断し、設定温度未満の場合は、弁を開いてヒートポンプユニットへ発電ユニットから放出される空気を送り、設定温度以上の場合は、弁を閉じてその空気をヒートポンプユニットへ送らないように構成することにより、給湯機と発電ユニットの両方の効率向上を図ることができることを見出した。
【００１４】
すなわち、冬期のように外気温が低い場合には、発電ユニットからの廃熱を供給し、外気からの空気を暖め、それをヒートポンプユニットへ供給する。これにより、ヒートポンプユニット内を流れる熱媒体へ熱を与えて圧縮機への吸引温度を上昇させることができるため、圧縮機の消費電力を抑制することができる。この消費電力の抑制により、温暖化ガスの排出量を削減することができる。また、ヒートポンプユニットにおいて、外気と熱媒体との間で熱交換を行う熱交換器に霜がつくのを防止することができ、熱交換器として適切に機能させることができる。
【００１５】
一方、夏期のように外気温が高い場合には、発電ユニットからの廃熱供給を停止し、外気のみをヒートポンプユニットへ供給する。一般に、ヒートポンプユニットへ供給する空気の温度が高いほど圧縮機の消費電力を抑制することができるが、温度が高くなれば、同一室内に設置される発電ユニットのエンジンを冷却しにくくなり、エンジンで潤滑油として使用されるエンジンオイルも冷却されにくくなり、劣化を早める。また、空気の密度が低下することから、エンジンへ燃料の燃焼のために供給する空気量を増加する必要があり、その結果、燃料消費量が増加する。
【００１６】
したがって、上記のように、外気のみをヒートポンプユニットへ供給し、発電ユニットへは、ヒートポンプユニットにより熱交換され温度が低下した空気を供給する。これにより、エンジンを容易に冷却することができ、エンジンオイルの劣化も遅延させることができ、燃料消費量も削減することができる。この燃料消費量の削減により、温暖化ガスの排出量を削減することができる。
【００１７】
このように外気温に応じて発電ユニットから放出される空気の供給先を制御することにより、給湯機が取り込む空気の温度および発電ユニットが取り込む空気の温度を調整し、両者の効率向上を図ることができる。
【００１８】
したがって、本発明では、ヒートポンプユニットを備える給湯機と、空気を取り込み、燃料を燃焼させて動力を発生するエンジンと該エンジンが発生させた動力により発電を行う発電機と該エンジンを冷却するために空気を取り込み、加熱された空気を排出する冷却手段とを備える発電ユニットとを含む給湯発電システムであって、室外に、外気の温度を測定する温度測定手段を備え、室内に、外気を取り込むための給気口に近隣して設置されるヒートポンプユニットと、給気口から離間して設置される発電ユニットと、発電ユニットから排出される加熱された空気をヒートポンプユニットへ向けて放出させ、該空気の放出を停止させるために開閉される開閉手段と、温度測定手段により測定された外気の温度に応じて開閉手段を開閉させる制御手段とを備える、給湯発電システムを提供することができる。
【００１９】
ヒートポンプユニットは、外気の熱を吸収し熱媒体に与える吸熱手段と、その熱媒体を圧縮する圧縮手段と、圧縮された熱媒体によりタンク内に貯留された水や湯を加熱する加熱手段と、圧縮された熱媒体を膨張させ、吸熱手段へ供給する膨張手段とを備える。
【００２０】
制御手段は、温度測定手段により測定された外気の温度が設定温度以上であるか否かを判断し、設定温度以上であれば、開閉手段を閉止させ、設定温度未満であれば、開放させる。設定温度は適宜設定することができるが、ヒートポンプユニットが備える吸熱手段が取り込む空気の温度が１０℃未満の温度になると、ヒートポンプユニットの能力が低下し、また、吸熱手段に霜がつき、熱交換を適切に行うことができなくなることから、１０℃に設定することができる。
【００２１】
給湯発電システムの運転制御方法は、室外に設置された温度測定手段により外気の温度を測定する段階と、温度測定手段により測定された外気の温度が設定温度以上であるか否かを判定する段階と、設定温度以上と判定された場合、開閉手段を閉止させる段階と、設定温度未満と判定された場合、開閉手段を開放させる段階とを含む。
【図面の簡単な説明】
【００２２】
【図１】給湯機の概略構成図。
【図２】発電ユニットの概略構成図。
【図３】給湯発電システムの概略構成図。
【発明を実施するための形態】
【００２３】
本発明の給湯発電システムは、ヒートポンプユニットを備える給湯機と、発電ユニットとを含み、ヒートポンプユニットと発電ユニットとが同一室内に設置され、互いの廃熱を有効に利用してシステム全体の効率向上を図ることができるシステムである。
【００２４】
まず、図１を参照して、本発明の給湯発電システムに用いることができる給湯機について説明する。給湯機は、水を受け入れ、湯を供給する貯湯ユニット１０と、ヒートポンプユニット１１とから構成される。
【００２５】
貯湯ユニット１０は、所定量の湯を貯留することができる容器を有し、給水用のノズル、給湯用のノズル、ヒートポンプユニット１１へ水または湯を供給するためのノズル、加熱されて戻される湯を受け入れるノズルといった４つのノズルを有している。また、貯湯ユニット１０は、屋外に設置され、貯留する湯が放熱により冷めないように、外表面に保温材等が巻かれ、保温される。
【００２６】
また、貯湯ユニット１０は、内部の湯の温度を測定できるように、温度計を備えることができ、また、湯量を測定できるように、液面計（レベルゲージ）を備えることができる。この貯湯ユニット１０は、ヒートポンプユニット１１と同一の室内または別の室内に設置することができる。
【００２７】
ヒートポンプユニット１１は、外気の熱を吸収し熱媒体に与える吸熱手段１２と、発電ユニットから電力が供給されることにより駆動し、熱媒体を圧縮する圧縮手段１３と、圧縮された熱媒体により貯湯ユニット１０から供給される水または湯を加熱し、貯湯ユニット１０へ戻す加熱手段１４と、圧縮された熱媒体を膨張させ、吸熱手段１２へ供給する膨張手段１５とを含む。このヒートポンプユニット１１は、外気の熱を吸収しやすいように、部屋の給気口に近隣した位置に設置される。
【００２８】
吸熱手段１２は、部屋の給気口から取り入れられる外気や発電ユニットからの空気を取り入れ、内部の空気を排出する換気ファンを備え、取り入れた空気の熱を熱媒体へ伝えて、熱媒体を温める。そのため、吸熱手段１２は、空気と熱媒体との間で熱交換する熱交換器を含み、管内に熱媒体を流し、外気をその管に接触させて外気の熱を管内の熱媒体へ与える。熱交換器において熱伝導効率を向上させるために、伝熱面積を大きくすることができ、例えば、熱媒体が流れる管をコイル状としたり、その管の表面にフィンを設けることができる。熱媒体としては、圧縮比を大きくとることができ、その圧縮により大きく温度上昇するガスが好ましく、空気や二酸化炭素等を挙げることができる。
【００２９】
圧縮手段１３は、吸熱手段１２で温められた熱媒体を圧縮する。この圧縮手段１３で行われる圧縮は、断熱圧縮に近いポリトロープ圧縮であるため、その吐出温度は圧縮比に依存して上昇する。例えば、熱媒体として空気を使用し、約０．１ＭＰａ、約２０℃の空気を約０．７ＭＰａまで圧縮すると、外部との熱の授受がない場合、その圧縮のために加えられたエネルギーは全て温度上昇となり、理論上約２６０℃となるが、現実には熱損失があり、約１７０〜２００℃となる。熱損失があるとはいえ、１００℃を超える温度であるため、十分に水を加熱することができる。この圧縮手段１３としては、容積圧縮機が好ましく、例えば、往復圧縮機、ダイアフラム式圧縮機等を挙げることができる。
【００３０】
このように圧縮され高温とされた熱媒体は、加熱手段１４へ送られ、貯湯ユニット１０へ供給された水へその熱を与える。加熱手段１４は、熱交換器とすることができ、伝熱面積を大きくするために、コイル状としたり、フィンを設けることができる。
【００３１】
加熱手段１４において水へ熱を与えて温度が降下された熱媒体は、圧縮された状態で維持され、その温度も、貯湯ユニット１０内に貯留される湯の温度以下には下がらない。これでは、吸熱手段１２において外気の熱を吸収することができない。そこで、膨張手段１５により膨張させ、温度を降下させる。膨張手段１５としては、膨張弁を用いることができる。この膨張手段１５では、圧縮手段１３で約０．１ＭＰａから約０．７ＭＰａへ昇圧する場合、約０．７ＭＰａから約０．１ＭＰａへ降圧することができる。
【００３２】
この給湯機へは、貯湯ユニット１０に接続される給水管１６を介して給水し、この給湯機からは、貯湯ユニット１０に接続される給湯管１７を介して浴室等へ給湯することができる。給水管１６および給湯管１７は、内部を流れる水が凍結しないように、また、給湯温度が降下しないように、保温材が巻かれており、その熱が外部へと放熱しないようにされている。
【００３３】
次に、図２を参照して、本発明の給湯発電システムに用いることができる発電ユニットについて説明する。この発電ユニット２０は、図１に示したヒートポンプユニット１１と同一の室内に設置され、好ましくはヒートポンプユニット１１に近隣して設置される。これは、外気の温度よりヒートポンプユニット１１の吸熱手段１２から排出される空気の温度の方が低く、ヒートポンプユニット１１に近い方が高温になるエンジンを効率的に冷却することができ、燃焼用空気として利用する場合、後に詳述するように、その密度が高く、燃料消費量を抑制することができるからである。
【００３４】
発電ユニット２０は、室内の空気を取り込み、燃料タンクから燃料を供給し燃焼させて動力を発生するエンジン２１と、そのエンジン２１が発生させた動力により発電を行う発電機２２と、エンジン２１を冷却するために室内の空気を取り込み、加熱された空気を排出する冷却手段２３とを備えている。
【００３５】
この発電ユニット２０は、ボックス内にエンジン２１、発電機２２、冷却手段２３が収容され、ボックスには、空気を取り込むための空気取込口と、その空気を排出するための空気排出口が設けられる。
【００３６】
エンジン２１は、レシプロエンジンやガスタービンエンジン等とすることができる。レシプロエンジンは、自動車用エンジンとして一般的なもので、燃料の燃焼による熱エネルギーを往復運動へ変換し、それを回転運動として取り出す原動機である。このため、ピストン、シリンダ、キャブレター、燃料噴射装置、燃料ポンプ等を備えている。ガスタービンエンジンは、燃料を燃焼させて生成した高温のガスでタービンを回転させ、運動エネルギーを得る原動機である。タービンは、遠心式または軸流式の回転式圧縮機で、燃焼用空気を圧縮して燃焼器へ送り込み、燃料を燃焼器に吹き込んで燃焼させることにより高温高圧の燃焼ガスが生成し、その燃焼ガスが羽根車を回転させるというものである。
【００３７】
エンジン２１は、回転運動としての動力を発電機２２へ与える。また、エンジン２１は、燃料を燃焼して生成された二酸化炭素や水蒸気を含む高温の燃焼排ガスを、他の熱交換器等へ熱回収のために送ることができる。
【００３８】
発電機２２は、例えば、ロータコイルを回転子とし、ステーターの電機子より三相交流電力を取り出すオルタネータを挙げることができる。このようにして発生した電力は、バッテリに蓄えられる。発電機２２が交流電力を発生させた場合、必要に応じて整流器により直流電力へ変換することができる。
【００３９】
冷却手段２３は、燃料を燃焼させることにより高温となったエンジン２１を冷却する。冷却手段２３としては、ラジエータを挙げることができ、そのラジエータとしては、空冷式のものや、水冷式のものを用いることができる。水冷式のラジエータは、多数のフィンを外表面に備える管の内部に水を流し、ファンにより空気を吸引し、吸引した空気を多数のフィンを備える管に接触させ、エンジン２１の熱を、多数のフィンを通して空気へ与えてエンジン２１を冷却する。一方、空冷式のラジエータは、エンジン２１の外表面に多数のフィンが設けられた構成とされ、空気がそのフィンに接触することでエンジン２１から多数のフィンを通して空気へ熱を与えてエンジン２１を冷却する。これらフィンに接触した空気は、熱が与えられて温度が上昇し、約５０〜６０℃の空気となって発電ユニット２０から排出される。
【００４０】
発電ユニット２０は、そのほか、燃料が軽油等の液体である場合、燃料タンクを含み、燃料が都市ガス等の気体であり、上記のガスタービンエンジンを用いる場合、ガスコンプレッサーを含むことができ、また、上述したバッテリ、燃焼排ガスを排出するための排気管、サイレンサ等を含むことができる。
【００４１】
図３を参照して、本発明の給湯発電システムについて詳細に説明する。上述したように、このシステムは、給湯機と発電ユニット２０とを含み、給湯機が備えるヒートポンプユニット１１と発電ユニット２０とが同一室内に設置される。ヒートポンプユニット１１および発電ユニット２０が設置される部屋３０は、給気口３１が設けられ、その給気口３１から外気を取り込み、室内の空気を排出することができるようにされている。
【００４２】
ヒートポンプユニット１１は、給気口３１に近隣して設置され、給気口３１からヒートポンプユニット１１を介し、その給気口３１から離れた位置に発電ユニット２０が設置される。発電ユニット２０から排出されるエンジン２１を冷却するために使用された空気は、途中分岐された排気ライン３２を通して室外および給気口３１とヒートポンプユニット１１との間へ向けて送出され、ヒートポンプユニット１１が外気とその空気とを混合した約１５℃〜約２５℃の中間温度帯の空気を取り込むことができるようにされている。この排気ライン３２には、ヒートポンプユニット１１へ向かうラインの途中に、このライン内の流路を開閉する開閉手段としての制御弁３３が設けられている。
【００４３】
制御弁３３は、制御手段としての図示しない制御回路からの指示によりその流路を閉止し、または開放する。制御回路は、その処理を実現するためのプログラムを格納するメモリと、そのプログラムを読み出して実行するプロセッサとを備えている。この制御回路は、室外に設置された外気の温度を測定するための温度測定手段としての温度計３４と電気的に接続され、温度計３４から外気の温度を、適時、データとして取得することができる。
【００４４】
制御回路は、予め設定された温度の設定値をメモリに設定温度のデータとして保持し、例えば一定時間間隔で、温度計３４から取得した外気の温度が、その設定温度以上であるか否かを判定し、その設定温度以上と判定した場合は、制御弁３３を閉じる。
【００４５】
一般に、ヒートポンプユニット１１の吸熱手段１２が取り込む空気の温度は高い方が、圧縮手段１３の消費電力を抑制できる点で好ましい。そのためには、この制御弁３３を開き、発電ユニット２０から排出される加熱された空気を放出し、吸熱手段１２が取り入れる空気を暖める必要がある。しかしながら、発電ユニット２０において使用されるエンジン２１を冷却するための空気はできるだけ温度が低い方が好ましく、また、エンジン２１の燃焼用空気も温度が低い方がその密度が高い点で好ましい。空気の密度が高いことは、空気中の酸素濃度が高く、燃焼効率が向上するため、燃料消費量を抑制することができ、ひいては温暖化ガスの発生を抑制することができる。
【００４６】
したがって、本発明では、上記のことを考慮し、外気の温度が設定温度以上である場合には、あえて発電ユニット２０から排出される空気を供給しないように制御する。
【００４７】
一方、外気の温度が設定温度未満と判定した場合は、制御弁３３を開く。発電ユニット２０の効率という点では、上述したように、空気の温度が低い方が好ましい。しかしながら、あまり低すぎると、ヒートポンプユニット１１の吸熱手段１２がフィンを備える熱交換器であるような場合、そのフィンに霜がつき、熱交換器として機能しなくなる。このことから、設定温度未満の場合、発電ユニット２０から排出される加熱された空気を供給し、これらに霜がつかないようにする。
【００４８】
こういった吸熱手段１２のフィンに霜がつき始めるのは、空気の温度が約１０℃未満になったときである。したがって、制御回路では、設定温度を１０℃に設定し、外気の温度が１０℃以上であるか否かを判定し、１０℃以上か否かにより制御弁３３を開閉させることができる。
【００４９】
ヒートポンプユニット１１は、上述したように、給気口３１に近隣して設置され、給気口３１から入る外気と、制御弁３３が開にされた場合に排気ライン３２を通して供給される空気とが混合され、それが吸熱手段１２へ取り込まれる。したがって、冬場のように外気の温度が１０℃未満であっても、排気ライン３２を通して供給される５０〜６０℃の空気と混合されることにより１０℃以上の温度となり、また、この空気が断続的に供給されることにより霜がつかないようにすることができる。
【００５０】
吸熱手段１２では、空気の熱が吸収されるため、吸熱手段１２から排出される空気の温度は下がる。その空気は、発電ユニット２０へ送られ、燃焼用空気やラジエータの冷却用空気として取り込まれる。燃焼用空気は、上述したように温度が低い方が、密度が高くなる点で好ましい。ラジエータに取り込まれる空気は、霜がつく可能性を考慮すれば１０℃以上であることが好ましいが、ラジエータは高温のエンジン２１に連続しており、そのエンジン２１からの熱が伝えられるので、１０℃未満の空気が接触し、霜がついたにしてもすぐに解け、蒸発してしまうので、あまり問題とはならない。
【００５１】
ここで、図３を参照しながら、このシステムの運転制御方法について説明する。発電ユニット２０の燃料タンクに燃料が満たされ、給気口３１を開き、燃焼用空気が十分に供給されることを確認し、燃焼排ガスラインおよび排気ライン３２から排出可能であるかを確認する。
【００５２】
発電ユニット２０の起動準備が完了したところでエンジン２１へ燃料および燃焼用空気の供給を開始し、エンジン２１を起動する。エンジン２１が起動すると、発電機２２が起動し、エンジン２１からの動力が伝えられて発電を開始する。発電機２２により発電された電力は蓄電池へ蓄電され、また、照明等に使用される。このようにして電力が供給できるようになると、ヒートポンプユニット１１の圧縮手段１３へ電力を供給し、ヒートポンプユニット１１を起動することが可能となる。なお、ヒートポンプユニット１１の起動前に、貯湯ユニット１０の貯湯タンク内には水を張っておく必要がある。
【００５３】
ヒートポンプユニット１１の起動前、制御回路は、温度計３４から外気の温度をデータとして受け取り、その温度が設定温度以上であるか否かを判定する。設定温度以上であると判定した場合、制御弁３３を閉じ、発電ユニット２０から排出される加熱された空気は、排気ライン３２を通して室外へ送られ、大気中へ放出される。
【００５４】
一方、設定温度未満と判定した場合、制御回路は、制御弁３３を開き、発電ユニット２０から排出される加熱された空気をヒートポンプユニット１１へ向けて送る。ヒートポンプユニット１１の吸熱手段１２のまわりの空気は、給気口３１を通して入ってきた外気と、この排気ライン３２を通して供給された空気とが混合し、所定の温度になった空気となる。
【００５５】
その後、ヒートポンプユニット１１の圧縮手段１３を起動することによりヒートポンプユニット１１を起動する。吸熱手段１２は、上記の混合された空気を取り込み、その空気の熱を吸収し熱媒体を温め、熱媒体が圧縮手段１３により圧縮され、圧縮されて高温となった熱媒体が貯湯タンク内の水へ熱を与え、貯湯タンク内の水を温める。
【００５６】
吸熱手段１２で熱を吸収されて温度が低下した空気は、周囲の空気と混合された後に発電ユニット２０に取り込まれ、燃焼用空気やラジエータ冷却用の空気として使用される。
【００５７】
このようにしてヒートポンプユニット１１と発電ユニット２０とが同一室内にあるシステムにおいて、互いから出る廃熱を互いが有効利用することで、発電ユニット２０においては、燃料消費量を抑制することができ、温暖化ガスの排出量を抑制することができ、ヒートポンプユニット１１においては、霜がつかないので吸熱手段１２を効率良く稼働させることができ、システム全体としての効率向上を図ることができる。
【００５８】
これまで本発明の給湯発電システムおよびその運転制御方法について図面に示した実施形態を参照しながら詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【符号の説明】
【００５９】
１０…貯湯ユニット、１１…ヒートポンプユニット、１２…吸熱手段、１３…圧縮手段、１４…加熱手段、１５…膨張手段、１６…給水管、１７…給湯管、２０…発電ユニット、２１…エンジン、２２…発電機、２３…冷却手段、３０…部屋、３１…給気口、３２…排気ライン、３３…制御弁、３４…温度計
【図１】
0005478216.tif 000002
【図２】
0005478216.tif 000003
【図３】
0005478216.tif 000004